【手続補正書】
【提出日】平成20年9月30日(2008.9.30)
【手続補正１】
【補正対象書類名】特許請求の範囲
【補正対象項目名】全文
【補正方法】変更
【補正の内容】
【特許請求の範囲】
【請求項１】
ガラスブランクを提供するステップと、
前記ガラスブランクの一部を通じてタングステン又はその派生物が実質的に存在しない通路を形成するステップと、
を備えるガラス製医療用容器を準備するための方法。
【請求項２】
前記形成するステップは、前記ガラスブランクの開口にピンを提供し、前記通路を形成するために前記ピンの回りで前記ガラスブランクの一部を操作することを含む、請求項１の方法。
【請求項３】
前記形成するステップの間、酸化しない材料のピンを提供することを含む、請求項２の方法。
【請求項４】
白金又は白金族金属を含む金属あるいは合金、ニッケルを含む金属あるいは合金、セラミックス、ケイ化物、及びこれらの組み合わせからなるグループから選択された材料のピンを提供することを含む、請求項２の方法。
【請求項５】
前記ピンは、タングステンを含まない、請求項２の方法。
【請求項６】
前記形成するステップは、長さを有し、かつ、前記長さに沿って実質的に一定の直径を規定する通路を形成することを含む、請求項１の方法。
【請求項７】
前記形成するステップは、長さを有し、かつ、前記長さに沿って変化する直径を規定する通路を形成することを含む、請求項１の方法。
【請求項８】
前記形成するステップは、実質的に一定の第１の直径を規定する第１の部分と実質的に一定の第２の直径を規定する第２の部分とを有し、前記第１の直径が前記第２の直径よりも大きい通路を形成することを含む、請求項７の方法。
【請求項９】
前記形成するステップは、前記ガラスブランクの一部を通じて通路を形成することを含み、前記通路は約１０億分の１２以下のタングステン又は派生物を前記通路内に有する、請求項１の方法。
【請求項１０】
前記ガラス製医療用容器は、シリンジバレル、瓶及び薬カートリッジ体からなるグループから選択される、請求項１の方法。
【請求項１１】
タングステン又はその派生物の量は、前記ガラスブランクの後処理の前に決定される、請求項１の方法。
【請求項１２】
前記ガラスブランクは、前記形成するステップの前又は後に洗浄されない、請求項１の方法。
【請求項１３】
前記ガラスブランクは、前記形成するステップの前又は後に滅菌されない、請求項１の方法。
【請求項１４】
前記形成するステップは、２以上の形成段階を含み、各々の前記形成段階は、前記ガラスブランクにおける開口にピンを提供し、前記通路を形成するために前記ピンの回りで前記ガラスブランクの一部を操作することを含む、請求項１の方法。
【請求項１５】
各前記ピンは、前記形成ステップの間に酸化しない材料からなる、請求項１４の方法。
【請求項１６】
各前記ピンは、白金あるいは白金族金属を含む金属又は合金、ニッケルを含む金属又は合金、セラミックス、ケイ化物及びこれらの組み合わせからなるグループから選択される材料からなる、請求項１４の方法。
【請求項１７】
各前記ピンは、タングステンを含んでいない、請求項１４の方法。
【請求項１８】
物質を収容するためのリザーバを画定するガラス体を備え、このガラス体はその一部を通じて延在し前記リザーバと連通する通路を有し、前記通路は容器の出口を画定し、タングステン又はその派生物が実質的に存在しない、ガラス製医療用容器。
【請求項１９】
前記通路は、長さを有し、前記長さに沿って実質的に一定の直径を規定する、請求項１８の容器。
【請求項２０】
前記通路は、長さを有し、前記長さに沿って変化する直径を規定する、請求項１８の容器。
【請求項２１】
前記通路は、実質的に一定の第１の直径を規定する第１の部分と実質的に一定の第２の直径を規定する第２の部分とを有し、前記第１の直径が前記第２の直径よりも大きい、請求項２０の容器。
【請求項２２】
前記通路内の前記タングステン又は派生物の量は、１０億分の１２以下である、請求項１８の容器。
【請求項２３】
前記ガラス製医療用容器は、シリンジバレル、瓶及び薬カートリッジ体からなるグループから選択される、請求項１８の容器。
【請求項２４】
ガラスブランクを提供するステップと、
前記ガラスブランクにおける開口にピンを提供するステップと、
通路を形成するために前記ピンと適合して係合するように前記ガラスブランクを形成するステップとを備え、前記ピンは前記ガラスブランクの前記形成の間に酸化しない材料からなる、ガラス製医療用容器の製造方法。
【請求項２５】
前記形成するステップは、長さを有し、前記長さに沿って実質的に一定の直径を規定する通路を形成するように前記ガラスブランクを形成することを含む、請求項２４の方法。
【請求項２６】
前記形成するステップは、長さを有し、前記長さに沿って変化する直径を規定する通路を形成するように前記ガラスブランクを形成することを含む、請求項２４の方法。
【請求項２７】
前記形成するステップは、実質的に一定の第１の直径を規定する第１の部分と実質的に一定の第２の直径を規定する第２の部分とを有し前記第１の直径が前記第２の直径よりも大きい通路を形成するように前記ガラスブランクを形成することを含む、請求項２６の方法。
【請求項２８】
前記ガラス製医療用容器は、シリンジバレル、瓶及び薬カートリッジ体からなるグループから選択される、請求項２４の方法。
【請求項２９】
前記形成するステップは、前記ガラスブランクを熱的に操作することを含む、請求項２４の方法。
【請求項３０】
前記形成するステップは、前記ガラスブランクを機械的に操作することを含む、請求項２４の方法。
【請求項３１】
前記ピンを提供するステップは、白金あるいは白金族金属を含む金属又は合金、ニッケルを含む金属又は合金、セラミックス、ケイ化物及びこれらの組み合わせからなるグループから選択される材料からなるピンを提供することを含む、請求項２４の方法。
【請求項３２】
前記ピンは、タングステンを含んでいない、請求項２４の方法。
【請求項３３】
前記形成するステップは、前記ガラスブランクに通路を形成することを含み、前記通路はタングステン又はその派生物が存在しない、請求項２４の方法。
【請求項３４】
前記タングステン又はその派生物の量は、前記ガラスブランクの後処理の前に決定される、請求項３３の方法。
【請求項３５】
前記ガラスブランクは、前記形成するステップの前または後に洗浄されない、請求項３３の方法。
【請求項３６】
前記ガラスブランクは、前記形成するステップの前または後に滅菌されない、請求項３３の方法。
【請求項３７】
請求項１の方法に従って製造されたガラス製医療用容器。
【請求項３８】
前記容器がシリンジバレルである、請求項３７のガラス製医療用容器。
【請求項３９】
請求項２４の方法に従って製造されたガラス製医療用容器。
【請求項４０】
前記容器がシリンジバレルである、請求項３９のガラス製医療用容器。
【請求項４１】
ガラスブランクを提供するステップと、
前記ガラスブランクの開口にピンを提供するステップと、
前記ピンの近くにガスを導入するステップと、
通路を形成するために前記ピンに適合して係合するように前記ガラスブランクを形成するステップと備え、前記通路は、タングステン又はその派生物が実質的に存在しない、
ガラス製医療用容器の製造方法。
【請求項４２】
前記形成するステップは、長さを有し、前記長さに沿って実質的に一定の直径を規定する通路を形成するように前記ガラスブランクを形成することを含む、請求項４１のガラス製医療用容器の製造方法。
【請求項４３】
前記形成するステップは、長さを有し、前記長さに沿って変化する直径を規定する通路を形成するように前記ガラスブランクを形成することを含む、請求項４１の方法。
【請求項４４】
前記形成するステップは、実質的に一定の第１の直径を規定する第１の部分と実質的に一定の第２の直径を規定する第２の部分とを有し前記第１の直径が前記第２の直径よりも大きい通路を形成するように前記ガラスブランクを形成することを含む、請求項４１の方法。
【請求項４５】
前記ガラス製医療用容器は、シリンジバレル、瓶及び薬カートリッジ体からなるグループから選択される、請求項４１の方法。
【請求項４６】
前記形成するステップは、前記ガラスブランクを熱的に操作することを含む、請求項４１の方法。
【請求項４７】
前記形成するステップは、前記ガラスブランクを機械的に操作することを含む、請求項４１の方法。
【請求項４８】
前記タングステン又はその派生物の量は、前記ガラスブランクの後処理の前に決定される、請求項４１の方法。
【請求項４９】
前記ガラスブランクは、前記形成するステップの前または後に洗浄されない、請求項４１の方法。
【請求項５０】
前記ガラスブランクは、前記形成するステップの前または後に滅菌されない、請求項４１の方法。
【請求項５１】
請求項４１の方法に従って製造されたガラス製医療用容器。
【請求項５２】
前記容器がシリンジバレルである、請求項５１のガラス製医療用容器。
【請求項５３】
ガラスブランクを提供するステップと、
前記ガラスブランクにおける開口にこの開口よりも小さい直径を有するピンを提供するステップと、
通路を形成するためにピンと適合して係合するように前記ガラスブランクを横断的に操作するステップと、を備え、
前記ピンは、前記ガラスブランクの形成中に酸化しない材料からなる、
ガラス製シリンジバレルの製造方法。
【請求項５４】
ガラスブランクを提供するステップと、
前記ガラスブランクにおける開口にピンを提供するステップと、
通路を形成するためにピンと適合して係合するように前記ガラスブランクを形成するステップと、を備え、
前記ピンは、白金あるいは白金族金属を含む金属又は合金、ニッケルを含む金属又は合金、セラミックス、ケイ化物及びこれらの組み合わせからなるグループから選択される材料からなる、ガラス製医療用容器の製造方法。
【請求項５５】
ガラスブランクを提供するステップと、
前記ガラスブランクにおける開口にピンを提供するステップと、
通路を形成するために前記ガラスブランクの形成中に酸化しない材料からなるピンと適合して係合するように前記ガラスブランクを形成するステップと、
前記通路に針を固定するステップと、
を備えるシリンジの製造方法。
【請求項５６】
ガラスブランクを提供するステップと、
前記ガラスブランクにおける開口にピンを提供するステップと、
通路を形成するためにピンと適合して係合するように前記ガラスブランクを形成するステップと、を備え、
前記通路は、第１の直径を有する第１の部分と前記第１の直径よりも小さい第２の直径を有し、
前記ピンは、前記ガラスブランクの形成中に酸化しない材料からなる、
ガラス製医療用容器の製造方法。
【請求項５７】
前記第１の直径は、約０．６ｍｍであり、前記第２の直径は、０．２ｍｍから０．４ｍｍの範囲にある、請求項５６の方法。
【請求項５８】
ガラスブランクを提供するステップと、
前記ガラスブランクにおける開口にピンを提供するステップと、
通路を形成するためにピンと適合して係合するように前記ガラスブランクを形成するステップと、を備え、
前記ピンは、前記ガラスブランクの形成の間に６００℃−９００℃の範囲の温度および高圧に曝された際に酸化しない材料からなる、
ガラス製医療用容器の製造方法。
【請求項５９】
ガラスブランクを提供するステップと、
前記ガラスブランクにおける開口にピンを提供するステップと、
通路を形成するためにピンと適合して係合するように前記ガラスブランクを形成するステップと、を備え、
前記ピンは、８０％−９０％の白金と２０％−１０％のロジウムの白金/ロジウム合金からなる、
ガラス製医療用容器の製造方法。
【請求項６０】
ガラスブランクを提供するステップと、
前記ガラスブランクにおける開口にピンを提供するステップと、
通路を形成するためにピンと適合して係合するように前記ガラスブランクを形成するステップと、を備え、
前記ピンは、前記ガラスブランクの形成中に酸化しない材料からなり、洗浄することなく、前記通路は、タングステン又はその派生物が実質的に存在しない、
ガラス製医療用容器の製造方法。
【請求項６１】
ガラスブランクを提供するステップと、
前記ガラスブランクにおける開口にピンを提供するステップと、
通路を形成するためにピンと適合して係合するように前記ガラスブランクを形成するステップと、を備え、
前記ピンは、前記ガラスブランクの形成中に酸化しない材料からなり、洗浄することなく、前記通路内のタングステンの量が１０億分の１２以下である、ガラス製医療用容器の製造方法。